(57)【要約】  雑音および干渉は、多数のユーザの直交周波数分割多重化（Orthogonal Frequency Division Multiplexing, OFDM）システムにおいて個別に測定されることができる。同一チャネル干渉は、周波数ホッピングの、多数のユーザの、ＯＦＤＭシステムにおいて、個々のサービス領域またはセル内の全ユーザに割り当てられた副搬送波を追跡することによって測定される。複合の雑音および干渉は、副搬送波がセル内の任意のユーザに割り当てられていないときはいつも、その副搬送波における受信電力量を測定することによって判断されることができる。値は、システム内の各副搬送波ごとに記憶され、雑音および干渉の値は、現在の値と以前に記憶された値との重み付き平均であってもよい。雑音成分は、同期システムにおいて個別に判断されることができる。同期システムでは、システム内の全ユーザは、副搬送波上で同報通信することを定期的に禁止され、副搬送波における受信電力は、同報通信されていない期間中に測定されることができる。【選択図】    図１
2007500489.tif 000002
【特許請求の範囲】
【請求項１】
直交周波数分割多重化（Orthogonal Frequency Division Multiplexing, OFDM）システムにおいて雑音を推定する方法であって、
ＯＦＤＭシンボルを受信することと、
割り当てられていない副搬送波の周波数帯域内の信号の受信電力を検出することとを含む方法。
【請求項２】
割り当てられていない副搬送波の周波数帯域における、受信電力と、少なくとも１つの以前に記憶された受信電力測定値との平均をとることをさらに含む請求項１記載の方法。
【請求項３】
受信電力を検出する前に、割り当てられていない副搬送波の周波数帯域に対応する、割り当てられていない副搬送波を復調することをさらに含む請求項１記載の方法。
【請求項４】
受信メッセージに部分的に基づいて、割り当てられていない副搬送波の周波数帯域を判断することをさらに含む請求項１記載の方法。
【請求項５】
内部で生成された系列に部分的に基づいて、割り当てられていない副搬送波の周波数帯域を判断することをさらに含む請求項１記載の方法。
【請求項６】
ＯＦＤＭシンボルを受信することが、基地局の送信機から、ＲＦのＯＦＤＭシンボルを無線で受信することを含む請求項１記載の方法。
【請求項７】
ＯＦＤＭシンボルを受信することが、
無線で受信したＲＦのＯＦＤＭシンボルをベースバンドのＯＦＤＭシンボルに変換することと、
ベースバンドのＯＦＤＭシンボルから保護区間を取り除くことと、
高速フーリエ変換（Fast Fourier Transform, FFT）を使用して、時間領域のＯＦＤＭのベースバンド信号を被変調副搬送波に変換することとを含む請求項１記載の方法。
【請求項８】
受信電力を検出することが、割り当てられていないＯＦＤＭ周波数帯域内の信号の大きさ、振幅、または平方の大きさの１つを判断することを含む請求項１記載の方法。
【請求項９】
受信電力を検出することが、直交信号成分の平方と、同相信号成分の平方との和を判断することを含む請求項１記載の方法。
【請求項１０】
割り当てられていない副搬送波の周波数帯域が、システム全体で割り当てられていない副搬送波の周波数帯域を含むかどうかを判断することと、
副搬送波の周波数帯域が、システム全体で割り当てられていない周波数帯域を含まないときは、検出された受信電力を雑音および干渉の推定値として記憶することと、
副搬送波の周波数帯域が、システム全体で割り当てられていない周波数帯域を含むときは、検出された受信電力を雑音の下限の推定値として記憶することとをさらに含む請求項１記載の方法。
【請求項１１】
ＯＦＤＭシンボルを送信する送信機と時間基準を同期させることをさらに含む請求項１０記載の方法。
【請求項１２】
受信電力と、少なくとも１つの以前に記憶された受信電力測定値との平均をとって、割り当てられていない副搬送波の周波数帯域に対応する雑音推定値を生成することと、
雑音推定値を送信機に通信することとをさらに含む請求項１記載の方法。
【請求項１３】
雑音推定値を送信機に通信することが、端末の送信機からベーストランシーバ局へ雑音推定値を送信することを含む請求項１２記載の方法。
【請求項１４】
直交周波数分割多重化（ＯＦＤＭ）システムにおいて雑音を推定する方法であって、
無線セルラ通信システムにおいて、シンボル期間に対応するＯＦＤＭシンボルを受信することと、
シンボル期間中の割り当てられていない副搬送波を判断することと、
割り当てられていない副搬送波に対応する周波数帯域内の信号の、シンボル期間中の、電力を判断することと、
信号の電力の値をメモリに記憶することと、
信号の電力と、以前に記憶された値との平均をとって、雑音推定値を生成することとを含む方法。
【請求項１５】
直交周波数分割多重化（ＯＦＤＭ）システムにおいて雑音を推定する装置であって、
ＯＦＤＭシンボル期間に対応するＯＦＤＭシンボルを無線で受信するように構成された無線受信機と、
ＯＦＤＭシンボル期間中に、無線受信機によって受信された信号の受信電力レベルを検出するように構成された検出器と、
検出器に接続されていて、ＯＦＤＭシンボル期間中の割り当てられていない副搬送波を判断し、割り当てられていない副搬送波に対応する周波数帯域における受信電力レベルに部分的に基づいて、雑音推定値を判断するように構成されたプロセッサとを含む装置。
【請求項１６】
プロセッサに結合されたメモリをさらに含み、プロセッサがメモリ内に雑音推定値を記憶する請求項１５記載の装置。
【請求項１７】
プロセッサに結合されていて、かつ割り当てられていない副搬送波に対応する、所定数の以前に判断された雑音推定値を記憶するメモリをさらに含み、プロセッサが、雑音推定値と以前に判断された雑音推定値とに部分的に基づく、平均雑音推定値を判断する請求項１５記載の装置。
【請求項１８】
無線受信機が、
ＲＦのＯＦＤＭシンボルを無線で受信し、ＲＦのＯＦＤＭシンボルをＯＦＤＭシンボルに変換するように構成されたＲＦ受信機部分と、
ＲＦ受信機部分からＯＦＤＭシンボルを受信し、ＯＦＤＭシンボルを被変調副搬送波に変換するように構成された高速フーリエ変換（ＦＦＴ）モジュールと、
ＦＦＴモジュールに結合されていて、かつ被変調副搬送波を復調するように構成された復調器とを含む請求項１５記載の装置。
【請求項１９】
検出器が、復調器の出力の受信電力レベルを検出する１８記載の装置。
【請求項２０】
検出器が、ＯＦＤＭシンボル期間中に無線受信機によって受信された信号の大きさ、振幅、および平方の大きさの１つを判断することによって、受信電力レベルを検出する請求項１５記載の装置。
【発明の詳細な説明】
【技術分野】
【０００１】
関連出願の相互参照
本出願は、2003年5月14日に出願された米国仮特許出願第60/470,724号に対して優先権を主張しており、第60/470,724号は、本明細書において参照によって全体的に取入れられている。
発明の分野
本発明は、無線通信の分野に関する。とくに、本発明は、直交周波数分割多重化（Orthogonal Frequency Division Multiplexing, OFDM）システムにおいて雑音を推定するためのシステムおよび方法に関する。
【背景技術】
【０００２】
無線通信システムは、種々の動作状態において大量のデータを伝送するために、絶えず依存されている。通信システムに割り振られる周波数スペクトルの量、すなわち、帯域幅は、しばしば、政府の規制によって制限される。したがって、所与の通信帯域幅においてデータのスループットを最適化することが常に必要とされる。
【０００３】
所与の通信帯域においてデータのスループットを最適化する問題は、多数のユーザを同時に支援する必要によって複雑化する。各ユーザは、異なる通信の必要をもち得る。あるユーザが、音声信号のような低レートの信号を伝送し得る一方で、別のユーザは、ビデオのような高レートのデータ信号を伝送し得る。通信システムは、通信帯域を効率的に利用して、多数のユーザを支援する特定の方法を実行することができる。
【０００４】
無線通信システムは、多くの異なるやり方で実行されることができる。無線通信システムでは、例えば、周波数分割多元接続（Frequency Division Multiple Access, FDMA）、時分割多元接続（Time Division Multiple Access, TDMA）、符号分割多元接続（Code Division Multiple Access, CDMA）、および直交周波数分割多重化（ＯＦＤＭ）が使用される。異なる通信システムの各々は、個々のシステムの側面に関連した長所および欠点をもつ。
【０００５】
図１は、一般のＯＦＤＭシステムにおける信号の周波数−時間図である。ＯＦＤＭシステムは、割り振られた周波数スペクトル120をもつ。割り振られた周波数スペクトル120は、多数の搬送波、例えば、130aないし130dおよび132aないし132dに分割される。ＯＦＤＭシステムにおける多数の搬送波は、副搬送波と呼ばれることもある。各副搬送波、例えば、130aは、低レートのデータストリームに変調される。さらに加えて、システムの名前が示唆するように、各副搬送波、例えば、130aは、他の副搬送波、例えば、130bないし130dおよび132aないし132dの全てに対して直交している。
【０００６】
副搬送波、例えば130aないし130dは、副搬送波のオンおよびオフをゲートすることによって、互いに直交するように構成されることができる。矩形窓（rectangular window）を使用してオンおよびオフをゲートされる副搬送波、例えば、130aは、（sin(x)）/xの形をもつ周波数スペクトルを生成する。副搬送波、例えば、130aおよび130bの矩形ゲーティング期間および周波数空間は、変調された第１の副搬送波130aのスペクトルが、他の副搬送波、例えば、130bないし130dの中心周波数においてナルにされるように選択されることができる。
【０００７】
ＯＦＤＭシステムは、副搬送波の一部を各ユーザに割り振ることによって、多数のユーザを支援するように構成されることができる。例えば、第１のユーザは、第１の組の副搬送波130aないし130dを割り振られ、第２のユーザは、第２の組の副搬送波132aないし132dを割り振られることができる。ユーザに割り振られる副搬送波の数は、同じである必要はなく、副搬送波は、連続する帯域内にある必要はない。
【０００８】
したがって、時間領域において、多数のＯＦＤＭシンボル110aないし110nが伝送され、直交副搬送波130aないし130dおよび132aないし132dの周波数スペクトルになる。各副搬送波、例えば、130aは、個別に変調される。１つ以上の副搬送波130aないし130dが、個々の通信リンクに割り振られてもよい。さらに加えて、個々のユーザに割り当てられる副搬送波の数は、時間にしたがって変わってもよい。
【０００９】
したがって、ＯＦＤＭは、多数のユーザを支援するセルラ通信システムのような無線通信システムにおいて実行されることができる、無線チャネル上での高データレート伝送のための有望な多重化技術である。しかしながら、セルラシステムは、スペクトル利用効率を向上するのに、周波数の再使用の概念を使用する。周波数の再使用は、同一チャネル干渉（co-channel interference, CCI）を発生させ、これは、このようなシステムにおける性能の劣化の主な源である。既に記載したように、副搬送波の全てが直交しているので、ＯＦＤＭシステムの同一セルまたはセクタ内の全ユーザは、互いに直交している。したがって、同一セルまたはセクタ内では、多数の副搬送波は、互いに干渉を実質的に起こさない。しかしながら、周波数の再使用のために、隣り合うセルまたはセクタは、同一周波数空間を使用することができる。したがって、ＯＦＤＭシステムでは、異なるセルまたはセクタ内のユーザが、干渉の源であり、隣り合うセルまたはセクタのＣＣＩの主な源を生成する。
【発明の開示】
【発明が解決しようとする課題】
【００１０】
ＯＦＤＭ無線通信受信機において、ＣＣＩのレベルを判断できることが望ましい。ＣＣＩのレベルは、受信機において、２つの主な理由のために必要とされる。受信機は、閉電力制御ループで送信機と動作することができ、ある特定の動作に必要とされる信号対干渉および雑音比（signal to interference plus noise ratio, SNIR）を維持するために、各副搬送波上で伝送される電力レベルを調節するのに、ＣＣＩのレベルを知る必要がある。受信機は、チャネル復号器の動作に使用される搬送波対干渉（Carrier to Interference, C/I）またはＳＩＮＲの値のためにも、ＣＣＩの推定値を必要とする。
【課題を解決するための手段】
【００１１】
ＯＦＤＭシステムにおいて雑音推定値を判断する方法および装置が開示される。雑音の推定値は、割り当てられていない副搬送波の周波数帯域における受信電力を検出することによって判断されることができる。割り当てられていない副搬送波の周波数帯域が、局所的に割り当てられていない副搬送波に対応するとき、受信電力は、副搬送波の周波数帯域における雑音および干渉の推定値を表わす。割り当てられていない副搬送波の周波数帯域が、システム全体で割り当てられていない副搬送波に対応するときは、受信電力は、副搬送波の周波数帯域における雑音の下限の推定値を表わす。
【００１２】
１つの態様では、本発明は、雑音推定値を判断する方法であって、ＯＦＤＭシンボルを受信することと、割り当てられていない副搬送波の周波数帯域における受信電力を検出することとを含む方法である。別の態様では、本発明は、雑音推定値を判断する方法であって、無線セルラ通信システムにおいて、シンボル期間に対応するＯＦＤＭシンボルを受信することを含む方法である。方法は、シンボル期間中の割り当てられていない副搬送波を判断することと、割り当てられていない副搬送波の周波数帯域内の信号の受信電力を判断することとを含む。電力は、メモリに記憶され、以前に記憶された値との平均をとられ、雑音推定値を生成する。
【００１３】
別の態様では、本発明は、ＯＦＤＭシステムにおける雑音を推定する装置である。装置は、ＯＦＤＭシンボルを無線で受信するように構成された受信機と、受信機によって受信された信号の受信電力レベルを検出するように構成された検出器とを含む。プロセッサは、シンボル期間中の割り当てられてない副搬送波を判断し、かつ１つの受信信号レベルに少なくとも部分的に基づいて雑音推定値を判断する装置に含まれる。
【００１４】
上述の態様、並びに本発明の他の態様、特徴、および長所は、次の詳細な記述および添付の図面を詳しく調べるときに、明らかになるであろう。図面において、同じ参照符号は、同一または機能的に同等の要素を同定する。
【発明を実施するための最良の形態】
【００１５】
副搬送波の雑音および干渉の検出を取入れた受信機をもつセルラＯＦＤＭ無線通信システム200の機能ブロック図は、図２に示されている。ＯＦＤＭシステム200は、多数の基地局210aないし210gを含み、これらは、多数の端末220aないし220oに通信を与える。基地局、例えば、210aは、端末、例えば、220aと通信するのに使用される固定局であってよく、アクセスポイント、ノードＢ、またはいくつかの他の用語で呼ばれることもある。
【００１６】
種々の端末220aないし220oは、ＯＦＤＭシステム200全体に分散されることができ、各端末は、固定形（例えば、220k）であるか、または、移動形（例えば、220b）であり得る。端末、例えば、220aは、移動局、遠隔局、ユーザ端末（user terminal, UE）、アクセス端末、またはいくつかの他の用語で呼ばれることもある。各端末、例えば、220aは、任意の所与の瞬間において、ダウンリンクまたはアップリンク、あるいはこの両者上で、１つの、または場合によっては、多数の基地局と通信することができる。各端末、例えば、220mは、ＯＦＤＭ送信機300mおよびＯＦＤＭ受信機400mを含み、1つ以上の基地局との通信を可能にすることができる。ＯＦＤＭ送信機300mおよびＯＦＤＭ受信機400mの実施形態は、図３および４にさらに詳しく記載されている。図２において、端末220aないし220oは、基地局210aないし210gから、例えば、パイロット、シグナリング、およびユーザ別のデータ伝送を受信することができる。
【００１７】
ＯＦＤＭシステム200において、各基地局、例えば、210aは、特定の地理的領域、例えば、202aに受信可能領域を与える。各基地局の受信可能領域は、一般に、種々の要素（例えば、地形、障害物、など）に依存するが、簡潔化のために、しばしば、図２に示されているように、理想的な六角形によって表わされる。基地局またはその受信可能領域、あるいはこの両者は、その用語が使用される文脈に依存して、“セル”と呼ばれることも多い。
【００１８】
容量を増加するために、各基地局、例えば、210aの受信可能領域は、多数のセクタに分割されることができる。各セルが３つのセクタに分割されるときは、セクタ化されたセルの各セクタは、しばしば、セルの３分の１を表わす理想的な１２０°のくさび形によって表わされる。各セクタは、対応するベーストランシーバサブシステム（base transceiver sub-system, BTS）、例えば、212dによってサービスされることができる。ＢＴＳ212dは、ＯＦＤＭ送信機300dおよびＯＦＤＭ受信機400dを含み、それらの各々は図３および４にさらに詳しく記載されている。セクタ化されたセルにおいて、そのセルの基地局は、しばしば、そのセルのセクタにサービスするＢＴＳの全てを含む。“セクタ”という用語は、その用語が使用される文脈に依存して、しばしば、ＢＴＳまたはその受信可能領域、あるいはこの両者を指すのにも使用される。
【００１９】
さらに詳しく別途記載されるように、各基地局、例えば、210aは、一般に、ダウンリンク（順方向リンクとも呼ばれる）の通信を、端末、例えば、220aへ与えるように構成された送信機を構成している。さらに加えて、各基地局、例えば、210aは、端末、例えば、220aからのアップリンク（逆方向リンクとも呼ばれる）の通信を受信するように構成された受信機も構成している。
【００２０】
ダウンリンク方向では、基地局の送信機は、信号源から信号を受信し、信号源は、公衆交換電話ネットワーク（Public Switched Telephone Network, PSTN）またはいくつかの他の信号源であり得る。次に、基地局の送信機は、信号をＯＦＤＭ信号に変換し、ＯＦＤＭ信号は１つ以上の端末へ送信される。基地局の送信機は、信号をディジタル化し、信号をいくつかの並列信号へ多重化し、並列信号経路の数に対応する所定数の副搬送波を変調することができる。副搬送波の数は、一定であっても、または変わってもよい。さらに加えて、副搬送波は、連続周波数帯域を定めるように、互いに隣り合っていても、または多数の個別の周波数帯域を占めるように、互いにばらばらであってもよい。基地局は、例えば、副搬送波が一定数である場合のように一定の、疑似ランダムの、またはランダムの方法で副搬送波を割り当てることができる。基地局の送信機は、アナログまたは無線周波数（Radio Frequency, RF）部分を含み、ＯＦＤＭベースバンド信号を希望の伝送周波数帯域に変換することもできる。
【００２１】
ＯＦＤＭシステム200では、周波数の再使用は全てのセルにおいて行われることができる。したがって、第１のセル、例えば、202d内の第１の基地局、例えば、210dによって使用されるアップリンクおよびダウンリンクの周波数は、隣り合うセル202aないし202cおよび202eないし202g内の基地局210aないし210cおよび210eないし210gによって使用されることができる。既に記載したように、各基地局の送信機は、隣り合う受信機、この場合は、隣り合う端末の受信機によって経験される同一チャネル干渉（ＣＣＩ）の原因となる。例えば、第１の基地局210f内の送信機は、第１の基地局210fと通信していない、隣り合うセル202cおよび202d内の端末220eおよび220gのＣＣＩの原因となる。隣り合う端末によって経験されるＣＣＩの量を最小化するのを助けるために、基地局の送信機は、閉ループ電力制御システムの一部であることがある。
【００２２】
セル、例えば、202fの外部の端末によって経験されるＣＣＩの量を最小化するのを助けるために、基地局の送信機は、基地局210fが通信している各端末220mおよび220lの各々へ伝送するＲＦ電力を最小化することができる。基地局の送信機は、各副搬送波帯域における雑音レベルの判断と、端末によって送信され、基地局の受信機によって受信される電力制御信号とに部分的に基づいて、伝送電力を調節することができる。
【００２３】
基地局、例えば、210bは、各副搬送波の所定のＳＩＮＲまたはＣ／Ｉ値を維持することを試みて、端末、例えば、220bないし220dへの所定のサービス品質を維持する。所定の値よりも高いＳＩＮＲまたはＣ／Ｉは、端末、例えば、220bによって認識されるサービス品質にほとんど寄与しないが、全ての隣り合うセル、202a、202d、および202eのＣＣＩを増加することになる。対照的に、所定のレベルよりも低いＳＩＮＲまたはＣ／Ｉ値は、端末220bによって経験されるサービス品質を相当に低減し得る。
【００２４】
基地局の受信機は、伝送信号のＳＩＮＲまたはＣ／Ｉを設定する電力制御ループの一部として、各副搬送波帯域における雑音および干渉レベルを測定することができる。基地局の受信機は、各副搬送波帯域における雑音および干渉レベルを測定して、そのレベルを記憶する。副搬送波が通信リンクに割り当てられるとき、基地局の送信機は、各副搬送波に割り振る電力を判断するのに、雑音および干渉レベルを調べる。したがって、基地局の送信機は、各副搬送波の所定のＳＩＮＲまたはＣ／Ｉを維持することができ、他のセル内の端末によって経験されるＣＣＩを最小化する。
【００２５】
別の実施形態では、端末、例えば、220iが、所定のサービス品質を達成するのに要求される最小受信ＳＩＮＲまたはＣ／Ｉを維持することを試みることができる。受信ＳＩＮＲまたはＣ／Ｉが所定のレベルよりも高いときは、端末220iは、基地局210eが伝送信号電力を低減するように要求する信号を、基地局210eに送信することができる。その代りに、受信ＳＩＮＲまたはＣ／Ｉが所定のレベルよりも低いときは、端末220iは、基地局210eが伝送信号電力を増加するように要求する信号を、基地局210eに送信することができる。したがって、任意の所与の端末に伝送される電力を最小化することによって、隣り合うセル内の端末によって経験されるＣＣＩの量が最小化される。
【００２６】
図３は、例えば、ベーストランシーバ局または端末において採用され得るＯＦＤＭ送信機300の機能ブロック図である。ＯＦＤＭ送信機300の機能ブロック図は、送信機のベースバンド部分を詳しく示すベースバンド部を含み、送信機300に含まれ得る信号処理、源インターフェイス、またはＲＦ部を示していない。
【００２７】
ＯＦＤＭ送信機300は、１本以上のデータストリームに対応する１つ以上の源302を含む。ＯＦＤＭ送信機300が基地局の送信機であるとき、源302は、ＰＳＴＮネットワークのような外部ネットワークからのデータストリームを含んでもよい。各データストリームは、別々の端末に向けられることができる。源302によって与えられるデータは、多数の並列データストリーム、直列データストリーム、多重データストリーム、またはデータストリームの組合せであってもよい。源302は、データを変調器310へ与える。変調器310は、入力源を処理し、変調する。変調器310は、この分野において知られているように、インターリービング、符号化、グループ化、および変調を行う機能ブロックを含むことができる。変調器310は、特定のタイプのインターリービングを行うように制限されていない。例えば、変調器は、各端末の源データを個別にブロックインターリーブすることができる。
【００２８】
変調器310は、符号化を行うように構成されることもできる。ここでも、送信機300は、特定のタイプの符号化を行うように制限されていない。例えば、変調器310は、リードソロモン符号化または畳込み符号化を行なってもよい。符号化率は一定であっても、または端末への通信リンクに割り当てられた副搬送波の数に依存して、変わってもよい。例えば、変調器310は、第1の副搬送波が端末に割り当てられるときは、２分1のレートの符号器で畳込み符号化を行うことができ、第２の副搬送波が端末に割り当てられるときは、３分の１レートで畳込み符号化を行うように制御されることができる。別の例では、変調器は、端末に割り当てられる副搬送波の数に依存して変化するレートで、リードソロモン符号化を行うことができる。
【００２９】
変調器310は、所定のフォーマットを使用して、データを変調するように構成されることもできる。例えば、変調器310は、直交振幅変調（Quadrature Phase Moduration, QAM），４相位相シフトキーイング（Quadrature Phase Shift Keying, QPSK）、２進位相シフトキーイング（Binary Phase Shift Keying, BPSK）、またはいくつかの他の変調フォーマットを行うことができる。別の実施形態では、変調器310は、データを、副搬送波を変調するフォーマットへ処理する。
【００３０】
変調器310は、増幅器および利得段も含み、副搬送波に割り当てられたデータシンボルの振幅を調節することができる。変調器310は、増幅器の利得を、副搬送波ごとに、副搬送波の帯域幅における雑音および干渉に少なくとも部分的に依存する各副搬送波への利得で調節することができる。
【００３１】
変調器310の出力は、１：Ｎのマルチプレクサ320の入力に接続され、ここで、Ｎは、通信システムの伝送リンクにおいて使用される副搬送波の最大数を表わす。マルチプレクサ320は、変調器310から直列データを受信し、それを、複数の副搬送波に整合する並列フォーマットに変換するので、マルチプレクサ320は“直列対並列コンバータ”と呼ばれることもある。
【００３２】
副搬送波割り当てモジュール312は、変調器310およびマルチプレクサ320を制御する。源データを支援するのに使用される副搬送波の数は、通信システムの伝送リンクに使用される副搬送波の最大数であってもよく、一般には、より少ない。個々の通信リンクに割り当てられる副搬送波の数は、時間にしたがって変わることができる。さらに加えて、個々の通信リンクに割り当てられる副搬送波の数が同じであっても、副搬送波の識別は時間にしたがって変わることができる。
【００３３】
副搬送波は、通信リンクにランダムに、または疑似ランダムに割り当てられることができる。副搬送波の識別が変わることができるので、通信リンクによって占められる周波数帯域は、時間にしたがって変わることができる。通信システムは、所定の周波数ホッピング方法を実行する周波数ホッピングシステムであってもよい。
【００３４】
副搬送波割り当てモジュール312は、周波数ホッピング方法を実行することができ、使用される副搬送波の組と、通信リンクに割り振られる副搬送波の組とを追跡することができる。例えば、３つの順方向リンク信号をもつ基地局において、副搬送波割り当てモジュール312は、第１の組の副搬送波を第１の通信リンクへ、第２の組の副搬送波を第２の通信リンクへ、および第３の組の副搬送波を第３の通信リンクへ割り当てることができる。各組内の副搬送波の数は、同じであっても、異なっていてもよい。副搬送波割り当てモジュール312は、通信リンクに割り振られた副搬送波の数と、アイドル状態であって、かつ通信リンクに割り当てることができる副搬送波の数とを追跡する。
【００３５】
副搬送波割り当てモジュール312は、変調器310を制御し、希望の符号化と、割り当てられた副搬送波の組を支援するのに必要な変調とを行う。さらに加えて、副搬送波割り当てモジュール312は、マルチプレクサ320を制御し、変調器310からのデータを、割り当てられた副搬送波に対応するマルチプレクサチャネルに与える。したがって、副搬送波割り当てモジュール312は、個々の通信リンクに割り当てられた副搬送波の識別および数を制御する。副搬送波割り当てモジュール312は、アイドルであって、かつ通信リンクに割り振られることができる副搬送波の識別も追跡する。
【００３６】
マルチプレクサ320の出力は、逆高速フーリエ変換（Inverse Fast Fourier Transform, IFFT）モジュール330に接続される。全副搬送波に等しいか、またはそれよりも広い幅をもつ並列バス322は、マルチプレクサ320からＩＦＦＴモジュール330への並列出力を結合する。
【００３７】
フーリエ変換は、時間領域から周波数領域へのマッピングを行う。したがって、逆フーリエ変換は、周波数領域から時間領域へのマッピングを行う。ＩＦＦＴモジュール330は、被変調副搬送波を時間領域信号へ変換する。フーリエ変換の特性は、副搬送波信号が、等しい間隔を空けられ、互いに直交することを保証する。
【００３８】
ＩＦＦＴモジュール330からの並列出力は、別の並列バス332を使用して、デマルチプレクサ340に結合される。デマルチプレクサ340は、並列被変調データストリームを、直列ストリームへ変換する。次に、デマルチプレクサ340の出力は、保護帯域発生器（図示されていない）に結合され、次に、ディジタル対アナログコンバータ（Digital to Analog Converter, DAC）（図示されていない）に結合されることができる。保護帯域発生器は、連続するＯＦＤＭシンボル間に一定の時間を挿入し、通信リンクにおけるマルチパスによるシンボル間干渉の影響を最小化する。次に、ＤＡＣの出力はＲＦ送信機（図示されていない）に結合されることができ、ＲＦ送信機は、ＯＦＤＭ信号を希望の伝送周波数帯域にアップコンバートする。
【００３９】
図４Ａおよび４Ｂは、ＯＦＤＭ受信機400の実施形態の機能ブロック図である。ＯＦＤＭ受信機400は、基地局または端末（例えば、移動端末）内に構成されることができる。図４ＡのＯＦＤＭ受信機400は、主としてディジタル領域における雑音推定器を構成し、図４ＢのＯＦＤＭ受信機400は、主としてアナログ領域における雑音推定器を構成する。
【００４０】
図４ＡのＯＦＤＭ受信機400は、相補的なＯＦＤＭ送信機によって送信されたＲＦ信号を、アンテナ402において受信する。アンテナ402の出力は、受信機（ＲＣＶＲ）410に結合され、受信機410は、受信されたＯＦＤＭ信号にフィルタをかけ、増幅し、ベースバンド信号にダウンコンバートすることができる。
【００４１】
受信機410からのベースバンド出力は、保護取り外しモジュール420に結合され、保護取り外しモジュール420は、送信機においてＯＦＤＭシンボル間に挿入された保護区間を取り除くように構成されている。保護取り外しモジュール420の出力は、アナログ対ディジタルコンバータ（Analog to Digital, ADC）422に結合され、ＡＤＣ422は、アナログベースバンド信号をディジタル表現に変換する。ＡＤＣ422の出力は、マルチプレクサ424に結合され、マルチプレクサ424は直列ベースバンド信号をＮ並列データ経路に変換する。数値、Ｎは、ＯＦＤＭの副搬送波の総数を表わす。各並列データ経路におけるシンボルは、ＯＦＤＭ信号のゲートされた時間領域シンボルを表わす。
【００４２】
並列データ経路は、高速フーリエ変換（Fast Fourier Transform, FFT）モジュール430の入力に結合される。ＦＦＴモジュール430は、ゲートされた時間領域信号を周波数領域信号に変換する。ＦＦＴモジュール430からの各出力は、被変調副搬送波を表わす。
【００４３】
ＦＦＴモジュール430からの並列出力は、復調器440に結合され、復調器440は、ＯＦＤＭの副搬送波を復調する。復調器440は、受信機400によって受信された副搬送波のサブセットのみを復調するように構成されても、または副搬送波の全てに対応する、ＦＦＴモジュール430からの出力の全てを復調するように構成されてもよい。復調器440の出力は、１つのシンボルであっても、または複数のシンボルであってもよい。例えば、副搬送波が直交変調されるときは、復調器440は、復調されたシンボルの同相および直交の信号成分を出力することができる。
【００４４】
復調器440の出力は、検出器450に結合される。検出器450は、副搬送波の周波数帯域の各々における受信信号を検出するように構成されている。検出器450は、例えば、電力、振幅、平方の大きさ、大きさ、など、または受信電力と相関する復調された副搬送波信号のいくつかの他の表現を検出するか、または、さもなければ判断することによって、受信電力を検出することができる。例えば、直交被変調信号の平方の大きさは、同相および直交の信号成分の平方を加算することによって判断されることができる。検出器450は、複数の検出器を含むか、または１つの検出器を含むことができ、これは、次の復調されたシンボルが現れる前に、希望の副搬送波信号の検出値を判断する。
【００４５】
プロセッサ460は、プロセッサ読み出し可能命令を含むメモリ470とインターフェイスする。メモリ470は、書き換え可能な記憶位置も含むことができ、これは、検出された副搬送波の雑音値を記憶し、更新するのに使用される。
個々の通信リンクに割り振られた副搬送波は、各シンボルの境界において変わることができる。受信機400への通信リンクに割り振られた副搬送波を識別する周波数ホッピング系列または周波数ホッピング情報も、メモリ470に記憶されることができる。プロセッサ460は、周波数ホッピング情報を使用して、ＦＦＴモジュール430、復調器440、および検出器450の動作を最適化する。したがって、プロセッサ460は、周波数ホッピング系列か、または他の周波数ホッピング情報を使用して、何れの副搬送波が通信リンクに割り振られ、何れの副搬送波がアイドルであるかを識別することができる。
【００４６】
例えば、総数よりも少ない副搬送波が、受信機400への通信リンクに割り振られるとき、プロセッサ460は、ＦＦＴモジュール430を制御して、割り振られた副搬送波に対応するＦＦＴ出力信号のみを判断することができる。別の実施形態では、プロセッサ460は、ＦＦＴモジュール430を制御して、受信機400への通信リンクに割り振られた副搬送波に対応する出力信号と、アイドルであって、かつ任意の通信リンクに割り振られていない副搬送波に対応する出力とを加えたものを判断する。プロセッサ460は、自分が判断することを必要とするＦＦＴ出力信号の数を低減することによって、ＦＦＴモジュール430上の負荷のいくらかを除去することができる。
【００４７】
プロセッサ460は、復調器440を制御して、ＦＦＴモジュール430がそれに与える出力信号である信号のみを復調することもある。さらに加えて、プロセッサ460は、検出器450を制御して、アイドルか、または割り振られていない副搬送波に対応する副搬送波の信号のみを検出することもある。検出器450は、割り振られていない副搬送波の雑音レベルを検出するように制限されることができるので、検出器450は、復調器の前に信号を検出するように構成されることができる。しかしながら、復調器440の後に検出器を配置することは、検出器450によって検出された雑音が、その副搬送波内のシンボルによって経験される同じ信号処理を経験することになるので、好都合であり得る。したがって、復調された雑音によって経験される信号処理の統計的特性は、復調されたシンボルによって経験される統計的特性に類似することになる。
【００４８】
プロセッサ460は、副搬送波が通信リンクに割り当てられないときはいつも、副搬送波内の復調された雑音の電力を検出することによって、副搬送波内の雑音を追跡することができる。割り当てられていない副搬送波の検出された電力は、その副搬送波帯域内の干渉および雑音の電力を表わす。プロセッサは、検出された電力を、その副搬送波に対応するメモリ470内のメモリ位置に記憶することができる。周波数ホッピングＯＦＤＭシステムでは、割り当てられていない副搬送波の識別は、時間にしたがって変わり、各シンボル境界において変わることができる。
【００４９】
プロセッサ460は、第１の副搬送波の検出された多数の電力測定値を、個別のメモリ位置に記憶することができる。次に、プロセッサ460は、所定数の検出された電力測定値の平均をとることができる。その代りに、プロセッサ460は、記憶された検出された電力測定値の各々に、検出された電力測定の時期に部分的に依存する係数で重み付けすることによって、雑音および干渉の重み付き平均を計算することができる。さらに別の実施形態では、プロセッサ460は、検出された雑音および干渉電力を、メモリ470内の対応する位置に記憶してもよい。次に、プロセッサ460は、記憶された値に第１の量で重み付けし、新しく検出された電力に第２の量で重み付けし、和を、副搬送波に対応するメモリ位置に記憶することによって、個々の副搬送波の雑音および干渉値を更新してもよい。この代わりの更新方法を使用すると、Ｎ副搬送波の雑音および干渉推定値を記憶するには、Ｎのみの記憶位置が必要である。副搬送波の雑音および干渉値を記憶し、更新する他の方法が使用可能であることが分かるであろう。
【００５０】
割り当てられていない副搬送波の検出された電力は、干渉源がその周波数帯域において同報通信していないならば、その副搬送波帯域における合計の雑音および干渉を表わす。干渉源が副搬送波の周波数帯域において同報通信していないときは、検出された電力は、雑音の下限の検出された電力を表わす。
【００５１】
ＯＦＤＭシステムは、全ての送信機を同期させ、かつ送信機の全てが特定の副搬送波上で伝送しない期間を定めることによって、システム源が副搬送波帯域において干渉信号を同報通信していないことを保証することができる。したがって、雑音推定器が端末の受信機において実行されるとき、ＯＦＤＭシステム内の全基地局は、所定のシンボル期間中に１つ以上の所定の副搬送波の周波数上で伝送するのを定期的に止めてもよい。他の全ての副搬送波は、通信リンクに割り振られ続け得るので、ＯＦＤＭシステムにおける通信は、１つの副搬送波が割り当てられていない期間中に止まらない。したがって、干渉のない雑音のレベルは、送信機を同期させ、かつ１つ以上のシンボル期間の間、任意の通信リンクへ各副搬送波を定期的に割り当てないことによって、副搬送波の周波数帯域の各々について、判断されることができる。したがって、干渉源のない雑音電力は、副搬送波帯域ごとに、割り当てのない期間中に判断されることができる。
【００５２】
図４Ｂは、雑音および干渉がアナログデバイスを使用して検出されるＯＦＤＭ受信機400の別の実施形態の機能ブロック図である。受信機400は、最初にアンテナ402においてＯＦＤＭ信号を受信し、アンテナ402の出力を受信機（ＲＣＶＲ）410に結合する。前の実施形態におけるように、受信機410は、受信ＯＦＤＭ信号にフィルタをかけ、増幅し、ベースバンド信号にダウンコンバートする。受信機410の出力は、フィルタ480の入力に結合される。また、受信機410のベースバンド出力は、保護取り外しモジュール、ＦＦＴモジュール、および復調器のような、他の信号処理段（図示されていない）にも結合されることもある。
【００５３】
１つの実施形態では、フィルタ480は、通信システム内の副搬送波の数に等しい多数のベースバンドフィルタをもつフィルタバンクである。フィルタの各々は、副搬送波の信号の帯域幅と実質的に同じ帯域幅をもつように構成されることができる。別の実施形態では、フィルタ480は、通信システムにおける任意の副搬送波の周波数帯域に調整されることができる１つ以上のチューナブルフィルタをもつフィルタバンクである。チューナブルフィルタは、受信機400への通信リンクに割り振られていない副搬送波の周波数帯域に同調させられる。チューナブルフィルタの帯域幅は、副搬送波帯域の帯域幅と実質的に同じであることができる。
【００５４】
フィルタ480からの出力は、検出器490に結合される。フィルタ480からの出力は、１つ以上のフィルタにかけられた信号であってもよい。フィルタ480からの出力信号の数は、通信システム内の副搬送波の数と同じくらい多くてもよい。
検出器490は、フィルタにかけられた信号の各々において電力を検出するように構成されることができる。検出器490は、１つ以上の電力検出器を含むことができる。電力検出器は、フィルタ480の出力に対応することができる。その代りに、１つ以上の電力検出器は、フィルタ出力の各々から電力を連続的に検出するのに使用されることができる。
【００５５】
検出器490の出力は、ＡＤＣ494の入力に結合される。ＡＤＣ494は、複数のコンバータを含むことができ、各々は、検出器490の出力の1つに対応する。その代りに、ＡＤＣ494は、検出器490の出力の各々を連続的に変換する１つのＡＤＣを含んでもよい。
【００５６】
メモリ470にインターフェイスしているプロセッサ460は、ＡＤＣ494の出力に結合されることができる。プロセッサ460は、メモリ470に記憶されているプロセッサ読み出し可能命令を使用して、ＡＤＣ494を制御して、目的とする検出された電力レベルのみを変換するように構成されることができる。さらに加えて、プロセッサ460は、前の実施形態と同じように、周波数ホッピング系列を追跡し、検出された雑音および干渉レベルを更新することができる。雑音レベルは、同期システムの干渉レベルとは無関係に検出されることができ、ここで、全ての送信機は、シンボル期間のような所定の期間において、所定の副搬送波上で送信することを定期的に止めるように制御されることができる。
【００５７】
図５は、所定の時間期間中のＯＦＤＭ周波数帯域500の一部のスペクトル図である。ＯＦＤＭ周波数帯域500は多数の副搬送波を含み、各々は、所定の周波数帯域、例えば、502aを占める。複数の通信リンクは、ＯＦＤＭ周波数帯域500を同時に占めてもよい。複数の通信リンクは、システム内で使用可能な副搬送波の総数のサブセットのみを使用してもよい。
【００５８】
例えば、第１の通信リンクは、４つの周波数帯域502aないし502dを占める４つの副搬送波を割り振られることができる。副搬送波および対応する周波数帯域502aないし502dは、１つの連続周波数帯域内に位置することが示されている。しかしながら、個々の通信リンクに割り振られる副搬送波は、隣り合っている必要はなく、ＯＦＤＭシステムにおいて使用可能な副搬送波の任意のものであってよい。第２の通信リンクは、第２の組の副搬送波、したがって、第２の組の副搬送波の周波数帯域522aないし522dに割り振られることができる。同様に、第３および第４の通信リンクは、それぞれ第３および第４の組の副搬送波を割り振られることができる。第３の組の副搬送波は第３の組の周波数帯域542aないし542cに対応し、第４の組の副搬送波は第４の組の周波数帯域562aないし562cに対応する。
【００５９】
特定の周波数リンクを割り振られた副搬送波の数は、時間にしたがって変わることもあり、通信リンク上に置かれた負荷にしたがって変わることもある。したがって、より高いデータレートの通信リンクには、より多くの副搬送波が割り振られることができる。通信リンクに割り振られる副搬送波の数は、各シンボル境界において変わることができる。したがって、ＯＦＤＭシステムにおいて割り振られる副搬送波の数および位置は、各シンボル境界において変わることができる。
【００６０】
割り振られる副搬送波の総数は、ＯＦＤＭシステムにおいて使用可能な副搬送波の総数に対応していなくてもよいので、任意の通信リンクに割り振られていない、したがって、アイドルである１つ以上の副搬送波があってもよい。ＯＦＤＭ周波数帯域500には、任意の通信リンクに割り振られていない、例えば、３つの副搬送波帯域510aないし510c、530aないし530c、および550aないし550eが示されている。ここでも、割り当てられていない副搬送波、したがって対応する副搬送波の帯域は、隣り合っている必要はなく、割り振られた副搬送波間に必ずしも現れるわけではない。例えば、割り当てられていない副搬送波の一部または全てが、周波数帯域の一方の端部に現れてもよい。
【００６１】
受信機は、副搬送波が割り当てられていないとき、副搬送波帯域における電力を検出することによって、副搬送波における雑音および干渉の推定値を推定し、更新することができる。割り当てられていない副搬送波は、例えば、受信機が位置しているセルまたはセクタにおいて、局所的に割り当てられていない副搬送波を表わすことができる。その他のセルまたはセルのセクタは、副搬送波を通信リンクに割り振ることができる。
【００６２】
例えば、端末内の受信機のような、第１の受信機は、第１の周波数帯域502aないし502dにおける第１の組の副搬送波を使用して、基地局との通信リンクを設定することができる。第1の受信機は、割り当てられていない周波数帯域、例えば、530aにおける雑音および干渉を、副搬送波の周波数帯域530aにおける電力を判断することによって推定することができる。既に記載したように、受信機は、以前に記憶された電力レベルと最も最近測定された電力レベルとの平均をとることによって、メモリ内に以前に記憶された推定値を更新することができる。その代りに、最も最近の雑音および干渉の推定値に対応する、最も最近判断された電力レベルは、所定数の最近の雑音および干渉の推定値の重み付き平均の判断に使用されてもよい。
【００６３】
さらに加えて、同期システムでは、副搬送波の1つ以上は、所定の継続期間、例えば、１つのシンボル期間において、全送信機に割り当てられていなくてもよい。したがって、副搬送波は、シンボル期間において、個々のＯＦＤＭシステムの全セルに割り当てられるわけではない。次に、システム全体で割り当てられていない副搬送波において、受信機は、副搬送波の周波数帯域、例えば、550dにおける電力を、送信機がその周波数帯域において送信していない期間中に判断することによって、雑音の下限を推定することができる。受信機は、多数の推定値の平均または重み付き平均をとることによって、雑音推定値を更新することもできる。受信機は、各副搬送波帯域の雑音の下限の推定値を別々に記憶することができる。したがって、受信機は、各副搬送波帯域の雑音の下限と雑音および干渉レベルを定期的に更新することができる。
【００６４】
図６は、ＯＦＤＭ副搬送波帯域における雑音および干渉レベルを判断し、更新する方法600のフローチャートである。方法600は、ＯＦＤＭシステム内の受信機において実行されることができる。受信機は、例えば、端末内の受信機であってもよい。その代りに、または加えて、受信機は、例えば、基地局トランシーバ内の受信機であってもよい。
【００６５】
方法600は、ブロック602において始まり、ここで、受信機は送信機と時間において同期する。受信機は、例えば、時間基準を、送信機における時間基準と同期することができる。受信機は、雑音の推定とは無関係の種々の理由のために、送信機と同期することを必要とすることがある。例えば、受信機は、１つ以上のシンボル期間において、何れの副搬送波がその通信リンクに割り振られるかを判断するために、送信機と同期することを必要とすることがある。
【００６６】
受信機は、次に、ブロック610に進み、ここで、受信機は、次のシンボル期間における使用されない、または割り当てられない副搬送波を判断する。送信機は、この情報をオーバーヘッドメッセージにおいて受信機に送ることができる。したがって、受信機によって受信されたメッセージは、副搬送波の何れが所与のシンボル期間において割り当てられていないかを示している。その代りに、副搬送波の割り当ては、疑似ランダムであってもよく、受信機は、以前の同期ステップにおいて局所的に生成された疑似ランダム系列を送信機と同期させてもよい。別の実施形態では、受信機は、局所的に生成された疑似ランダム系列のような、内部で生成された系列、または内部で生成された周波数ホッピング系列に基づいて、割り当てられていない副搬送波を判断する。
【００６７】
受信機は、ブロック620に進み、ここで、送信されたＯＦＤＭ信号が受信される。受信されたシンボルは、受信機との通信リンクに割り振られた割り当てられた副搬送波と、受信機との通信リンクに割り振られていない副搬送波とを含むことができる。
受信機は、ブロック622に進み、ここで、受信機は、受信信号をベースバンドＯＦＤＭ信号に変換する。受信信号は、一般に、ＲＦリンクを使用して、ＲＦのＯＦＤＭシンボルとして受信機に無線で伝送される。受信機は、一般に、受信信号をベースバンド信号に変換し、信号処理を容易にする。
【００６８】
受信信号をベースバンド信号に変換した後で、受信機は、ブロック624に進み、ここで、保護区間が受信信号から取り除かれる。ＯＦＤＭ送信機の説明において既に記載したように、保護区間は、マルチパス耐性を与えるように挿入される。
保護区間を取り除いた後で、受信機は、ブロック630に進み、ここで、信号はＡＤＣにおいてディジタル化される。信号をディジタル化した後で、受信機はブロック632に進み、ここで、信号が直列信号から多数の並列信号へ変換される。並列信号の数は、ＯＦＤＭシステム内の副搬送波の数と同じくらい多くてもよく、一般には、等しい。
【００６９】
直列対並列変換後に、受信機は、ブロック640に進み、ここで、受信機は、並列データに対してＦＦＴを行う。ＦＦＴは、時間領域のＯＦＤＭ信号を、周波数領域の被変調副搬送波に変換する。
受信機は、ブロック650に進み、ここで、ＦＦＴからの被変調副搬送波出力の少なくともいくつかが復調される。受信機は、一般に、受信機との通信リンクに割り振られた副搬送波を復調し、割り当てられていない副搬送波も復調する。
【００７０】
次に、受信機は、ブロック660に進み、ここで、割り当てられていない副搬送波が検出され、雑音および干渉の推定値を与える。副搬送波が、システム全体で割り当てられていない副搬送波であるときは、検出された出力は、その副搬送波帯域における雑音の下限の推定値を表わす。
【００７１】
受信機は、次に、ブロック670に進み、メモリに記憶されている雑音および干渉と雑音の下限の推定値を更新する。既に記載したように、受信機は、所定数の最も最近判断された雑音および干渉の推定値を記憶し、推定値の平均をとることができる。同様に、受信機は、所定数の最近判断された雑音の下限の推定値の平均を判断することができる。
【００７２】
受信機は、ブロック680に進み、ここで、雑音推定値は、送信機に通信される。例えば、受信機が端末の受信機であるときは、端末の受信機は、雑音推定値を、基地局トランシーバの送信機に通信することができる。端末の受信機は、先ず、関係付けられた端末の送信機に雑音推定値を通信することができる。端末の送信機は、次に、基地局の受信機に雑音推定値を送信する。そして次に、基地局の受信機は、基地局の送信機に雑音推定値を通信する。基地局の送信機は、雑音推定値を使用して、雑音推定値に対応する副搬送波における、送信機によって送信される電力レベルを調節することができる。
【００７３】
同様に、基地局の受信機は、先ず、基地局の送信機を使用して、雑音推定値を端末の受信機に送信することによって、受信した雑音推定値を端末の送信機に通信することができる。
ブロック690では、受信機は、割り当てられていない副搬送波を使用して判断された雑音推定値に部分的に基づいて、後で受信されるシンボルの信号品質を判断する。例えば、受信機は、割り当てられていない副搬送波の雑音および干渉を推定する。次のシンボル期間において、受信機は、同じ、以前に割り当てられていない、副搬送波上で、シンボルを受信することができる。次に、受信機は、以前に判断された雑音推定値に部分的に基づいて、Ｃ／ＩまたはＳＩＮＲのような信号品質を判断することができる。同様に、受信機が雑音の下限の推定値を判断すると、受信機は、同じ副搬送波上で受信される後のシンボルのＳＮＲを判断することができる。
【００７４】
割り当てられていない副搬送波の数および位置は、一般に、ランダム、または疑似ランダムに変わるので、受信機は、ＯＦＤＭシステムにおける副搬送波の各周波数帯域の雑音および干渉と雑音の下限の推定値を定期的に更新することができる。したがって、受信機は、ＣＣＩを最小化しようとして、送信機段へ通信されることができる雑音および干渉と雑音の下限の推定値とを生成し、更新することもできる。
【００７５】
電気的接続、結合、および接続が、種々のデバイスまたは素子に関して記載されてきた。接続および結合は、直接的であっても、間接的であってもよい。第１と第２のデバイス間の接続は、直接接続であっても、間接接続であってもよい。間接接続は、介在素子を含むことができ、第1のデバイスから第２のデバイスへの信号を処理することができる。
【００７６】
当業者は、情報および信号が様々な異なる技術および技法の任意のものを使用して表現され得ることを理解するであろう。例えば、上述全体で参照され得るデータ、命令、コマンド、情報、信号、ビット、シンボル、およびチップは、電圧、電流、電磁波、磁界または磁性粒子、光学場または光学粒子、あるいはこれらの組合せによって表されてもよい。
【００７７】
当業者は、本明細書に開示されている実施形態に関連して説明されている様々な例示的な論理ブロック、モジュール、回路、およびアルゴリズムのステップは、電子ハードウエア、コンピュータソフトウエア、またはこの両者の組合せとして実現され得ることも理解するであろう。ハードウエアおよびソフトウエアのこの互換性を明確に説明するために、種々の例示的なコンポーネント、ブロック、モジュール、回路、およびステップが、一般的にこれらの機能性に関して上述されている。このような機能性がハードウエアまたはソフトウエアのいずれで実行されるかは、システム全体に課される設計の制約および具体的な用途に依存する。熟練者は、特定の用途ごとに様々な方法で上記の機能性を実施し得るが、このような実現上の決定は、本発明からの逸脱を招くものとして解釈されるべきではない。
【００７８】
本明細書に開示されている実施形態に関連して説明されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートゲートまたはトランジスタロジック、離散ハードウエアコンポーネント、あるいは本明細書に説明されている機能を実行するように設計されているこれらの任意の組合せで実現または実行可能である。汎用プロセッサは、マイクロプロセッサであってもよいが、代替例においては、プロセッサは任意のプロセッサ、制御装置、マイクロ制御装置、または状態機械であってもよい。プロセッサは、計算機の組合せとして、例えば、ＤＳＰとマイクロプロセッサの組合せ、複数のマイクロプロセッサ、ＤＳＰコアと関連した１つ以上のマイクロプロセッサ、または任意の他のこのような構成としても実現されてもよい。
【００７９】
本明細書に開示されている実施形態に関連して説明されている方法またはアルゴリズムのステップは、ハードウエアにおいて、プロセッサによって実行されるソフトウエアモジュールにおいて、またはこの２つの組み合わせにおいて直接に具現化され得る。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体に常駐してもよい。例示的な記憶媒体は、プロセッサがこの記憶媒体から情報を読み取り、かつ情報を書き込むことができるようにプロセッサに結合される。代替例において、記憶媒体は、プロセッサと一体であってもよい。プロセッサおよび記憶媒体はＡＳＩＣに常駐し得る。
【００８０】
開示されている実施形態の上記説明は、当業者が本発明を構成かつ使用することを可能にすべく提供されている。これらの実施形態の種々の変形は、当業者には容易に明らかであり、本明細書に定義されている一般的な原理は、本発明の主旨および範囲から逸脱することなく他の実施形態に適用され得る。したがって、本発明は、本明細書に示されている実施形態に制限されることを意図されるものではなく、本明細書に開示されている原理および新規な特徴と合致する最大の範囲に一致すべきものである。
【図面の簡単な説明】
【００８１】
【図１】通常のＯＦＤＭシステムの機能上の周波数−時間図。
【図２】セルラ環境において実行されるＯＦＤＭシステムの機能ブロック図。
【図３】ＯＦＤＭ送信機の機能ブロック図。
【図４Ａ】ＯＦＤＭ受信機の機能ブロック図。
【図４Ｂ】ＯＦＤＭ受信機の機能ブロック図。
【図５】ＯＦＤＭ周波数帯域の一部のスペクトル図。
【図６】ＯＦＤＭシステムにおける雑音および干渉を判断する方法のフローチャート。
【符号の説明】
【００８２】
110a-110n・・・ＯＦＤＭシンボル、120・・・割り振られた周波数スペクトル、130a-130d,132a-132d・・・周波数スペクトル、200・・・ＯＦＤＭシステム、202a-202g・・・セル、210a-210g・・・基地局、212d・・・ベーストランシーバシステム、220a-220o,520a,520b・・・端末、300,300m・・・ＯＦＤＭ送信機、400,400m・・・ＯＦＤＭ受信機、320・・・マルチプレクサ、322,332・・・並列バス、340・・・デマルチプレクサ、500・・・ＯＦＤＭ周波数帯域、502a-502d,522a-522d,542a-542c,562a-562c・・・周波数帯域、5101-510c,530a-530c,550a-550e・・・副搬送波帯域、600・・・方法。
【図１】
2007500489.tif 000003
【図２】
2007500489.tif 000004
【図３】
2007500489.tif 000005
【図４Ａ】
2007500489.tif 000006
【図４Ｂ】
2007500489.tif 000007
【図５】
2007500489.tif 000008
【図６】
2007500489.tif 000009
【国際調査報告】
2007500489.tif 000010